(57)【要約】      （修正有）【課題】保冷時の結露面が外部に露出せず、かつ、結露水の手入れが不要になり、構造が簡単かつ軽量で低コストな直飲みボトルを提供する。【解決手段】ボトル体１内からの飲料を飲み口１４に導き直飲みできる栓体５を備え、栓体は、その天板部５ａからボトル体の口部１ａ内に入り込み下端部開口５２ａの外まわりで口部内壁との間をシール部材９によりシールされて下端部開口がボトル体内に通じる内栓部５２を有し、飲み口は、天板部からの突出を低減されるか栓体に収容される格納位置で下端部開口をシール部材１４１を介し閉じ、天板部から突出する飲み位置にて下端部開口を開く弁部１４２を直接持ち、かつ、飲み位置にて弁部を避けてボトル体内に通じる迂回通路１４３を有する。【選択図】図１
2008260538.tif 000002
【特許請求の範囲】
【請求項１】
ボトル体と、このボトル体の上端に装着されてボトル体内からの飲料を飲み口に導き直飲みできるようにする栓体とを備え、飲み口は、栓体の天板部上に突出した飲み位置と、天板部からの突出度を小さくするか栓体に収容する格納位置とに選択的に保持されるようにした直飲みボトルであって、
栓体は、その天板部からボトル体の口部内に入り込み下端部開口の外まわりで口部内壁との間をシール部材によりシールされて下端部開口がボトル体内に通じる内栓部を有し、飲み口は、格納位置で内栓部の下端部開口をシール部材を介し閉じ、飲み位置にて内栓部の下端部開口を開く弁部を直接持ち、かつ、飲み位置にて弁部を避けてボトル体内に通じる迂回通路を有したことを特徴とする直飲みボトル。
【請求項２】
飲み口は、格納位置にて内栓部との間に空間を形成することを特徴とする請求項１に記載の直飲みボトル。
【請求項３】
飲み口は、内栓部との間に働く弾性部材の付勢力によって飲み位置に弾性的に保持されることを特徴とする請求項１、２のいずれか１項に記載の直飲みボトル。
【請求項４】
弾性部材は、外周を内栓部に支持され、内周部で飲み口を支持した弾性膜部材であることを特徴とする請求項３に記載の直飲みボトル。
【請求項５】
迂回通路は、飲料の流出口と外気をボトル体内に導入する空気導入口とを有したことを特徴とする請求項１〜４のいずれか１項に記載の直飲みボトル。
【請求項６】
栓体の天板部片側へのヒンジ連結部を中心に栓体の天板部に被さる閉じ位置と、この閉じ位置から退避する片開き蓋と、この片開き蓋を閉じ位置にロックし、またそのロックを解除するロック機構とを備え、片開き蓋は、閉じ位置にて飲み口を格納位置に保持し、かつ飲み口の上端開口をシール部材を介し閉じるようにしたことを特徴とする請求項１〜５のいずれか１項に記載の直飲みボトル。
【発明の詳細な説明】
【技術分野】
【０００１】
本発明は、ボトル体と、このボトル体の上端に装着されてボトル体内からの飲料を飲み口に導き直飲みできるようにする栓体とを備え、飲み口は、栓体の天板部上に突出した飲み位置と、天板部からの突出度を小さくするか栓体に収容する格納位置とに選択的に保持されるようにした直飲みボトルに関するものである。
【背景技術】
【０００２】
このような直飲みボトルは既に知られている（例えば、特許文献１、２参照。）。このような直飲みボトルは、飲み口を栓体の天板部から突出する飲み位置に保持することで直飲みしやすくしながら、格納位置とすることによりかさ低く取り扱いやすいものとすることができ、特許文献３、４で知られるような固定構造の飲み口にない利点はある。
【特許文献１】特開平９−３１３３６３号公報
【特許文献２】特開２００２−１９１５１１号公報
【特許文献３】特開２００６−１５８７２９号公報
【特許文献４】特開２００６−１６０２７８号公報
【発明の開示】
【発明が解決しようとする課題】
【０００３】
しかし、特許文献１、２に記載のものは、飲み口を飲み位置と格納位置とに選択的に保持するのに、栓が部品点数の多い複雑な構造になっている。特に、特許文献１に記載のものでは、特許文献２に記載のようなストローによる吸い飲み方式でないことにより、飲み口を使用位置と格納位置とに切り替えるのに連動して、栓体に形成している飲み口への栓体内通路を開閉する必要があり、より複雑な栓構造となっている。このため、コストが低減できない上に栓体部が重くかさ張るなどして、近時では、ユーザの選択が特許文献３、４に記載のような飲み口を飲み位置に固定して少々かさ張るが、飲み口を外観よく覆い隠す片開き蓋により飲み口を簡易に閉止することを含め構造をシンプルにした軽く低コストなものに移行し、マイボトル化による環境エコに寄与しつつある。
【０００４】
ところが、特許文献３に記載のものは、図３に示すように栓体aが一重構造をした最もシンプルなものとなっているが、保冷使用の場合、栓体aの一重壁の内部と外部との温度差によって天板部bや飲み口cの基部の外面に結露が生じ、片開き蓋を開けると結露面が露出するので、触れたものがぬれてしまう問題がある。これを避けるには、片開き蓋ｄを開いたとき結露していると、それを拭い取るお手入れをするしかなく手間になる。
【０００５】
また、特許文献４に記載のものは、栓体の飲み口が突出している部分から下が二重壁構造になっているので、栓体の天板部外面に結露することはないが、飲み口が突出した栓体の本体部が飲み口の突出部とは独立した二重構造とする必要があるので、特許文献１に記載のものに比べ構造が複雑で高価につき、重量も増す。また、栓体の本体部の二重壁の内壁外面への結露は防止できず、結露面の外部への露出はないが結露水の長期保持は雑菌の繁殖などの問題があるので特許文献４に記載された構造のように栓体の本体部の二重壁部分を分解してお手入れできるようにする必要があり、分解してのお手入れも、再組み立てしての再使用も、共に不便である。
【０００６】
そこで、本発明者は、特許文献３、４の記載のものどうしの相容れない異なった問題を解決できる技術を開発した。
【０００７】
本発明はそのような開発の基に、保冷時の結露面が外部に露出せず、かつ、結露水のお手入れが不要になり、構造が簡単かつ軽量で低コストな直飲みボトルを提供することを課題とする。
【課題を解決するための手段】
【０００８】
上記課題を解決するため、本発明の直飲みボトルは、ボトル体と、このボトル体の上端に装着されてボトル体内からの飲料を飲み口に導き直飲みできるようにする栓体とを備え、飲み口は、栓体の天板部上に突出した飲み位置と、天板部からの突出度を小さくするか栓体に収容する格納位置とに選択的に保持されるようにした直飲みボトルであって、栓体は、その天板部からボトル体の口部内に入り込み下端部開口の外まわりで口部内壁との間をシール部材によりシールされて下端部開口がボトル体内に通じる内栓部を有し、飲み口は、格納位置で内栓部の下端部開口をシール部材を介し閉じ、飲み位置にて内栓部の下端部開口を開く弁部を直接持ち、かつ、飲み位置にて弁部を避けてボトル体内に通じる迂回通路を有したことを特徴とする。
【０００９】
上記構成によれば、栓体は直飲みできる飲み口を有して、その内栓部がボトル体の口部内に入り込みその下端部開口の外まわりで口部内壁との間をシール部材によりシールされて下端部開口がボトル体内に通じ、ボトル体内の飲料を飲み口に漏れなく、導いて直飲みできるようにするが、特に、飲み口が栓体の天板部上に突出して直飲みしやすい飲み位置と、突出度の低減または栓体に収納されてかさ低くなる格納位置との２つの態様が採れるのを利用して、格納位置の飲み口は、内栓部内に入り込んでその下端に直接保持している弁部が内栓部の下端開口を閉じるので、ボトル体内と内栓部内の空間とを一重壁が画して外面に結露する領域を、飲み口の弁部外面とその近傍、および内栓部の下部外面近傍、程度に規制し、それを超えた範囲への結露を防止することができ、飲み位置の飲み口は、内栓部から栓体の天板部上に突出して、下端の弁部が内栓部の下端部開口から上方へ離れて下端部開口を開くのに伴い、内栓部の下端部開口から飲み口に至る飲料の流出通路の一部として前記結露領域を開放し、直飲みと、飲料通路としてのお手入れとに供することができ、結露水が外部に漏れ出るほど蓄積することがなくなる。
【００１０】
上記において、さらに、飲み口は、格納位置にて内栓部との間に空間を形成することを特徴とすることができる。
【００１１】
このような構成では、上記に加え、さらに、格納位置での飲み口と内栓部との間の空間は、ボトル体内と栓体天板上とを空気断熱するので、栓体天板上に結露が及ぶのを確実に防止することができる。
【００１２】
上記において、さらに、飲み口は、内栓部との間に働く弾性部材の付勢力によって飲み位置に弾性的に保持されることを特徴とすることができる。
【００１３】
このような構成では、上記に加え、さらに、飲み口は格納位置への保持が解除されるだけで、弾性部材の付勢力によって自動的に飲み位置に突出させられる。
【００１４】
上記において、さらに、弾性部材は、外周を内栓部に支持され、内周部で飲み口を支持した弾性膜部材であることを特徴とすることができる。
【００１５】
このような構成では、上記に加え、さらに、飲み口を内栓部に外周を支持された１つの弾性膜部材による簡単な支持構造にて突出習性を与えるように支持し、かつ、弾性膜部材によって内栓部と飲み口との間の空間の空気の対流域を内外方向に二分して、内外の空気断熱効果を高められる。しかも、弾性膜部材は内栓部と飲み口との間をシールするので双方間を通じた飲料の漏れ出しを防止することができ、栓体の天板部の飲み口が出没する出没孔と飲み口との間のシールパッキンを省略することができる。
【００１６】
上記において、さらに、迂回通路は、飲料の流出口と外気をボトル体内に導入する空気導入口とを有したことを特徴とすることができる。
【００１７】
このような構成では、上記に加え、さらに、迂回通路は飲み口の上端から弁部にまでストレートに延びる流出路からの、弁部に対する迂回によって、弁部の邪魔なしにボトル体内に通じるようにすることができ、ボトル体内の飲料を飲み口に導くための迂回の向きが直飲み時のボトル体の前傾側となり、外気をボトル体内に導入するための迂回の向きが直飲み時のボトル体の前傾側と逆向きとなることに対応してそれぞれ個別に設けることで、飲料の直飲みとそれに伴う外気導入とを互いの邪魔なくスムーズに達成することができる。
【００１８】
上記において、さらに、栓体の天板部片側へのヒンジ連結部を中心に栓体の天板部に被さる閉じ位置と、この閉じ位置から退避する片開き蓋と、この片開き蓋を閉じ位置にロックし、またそのロックを解除するロック機構とを備え、片開き蓋は、閉じ位置にて飲み口を格納位置に保持し、かつ飲み口の上端開口をシール部材を介し閉じるようにしたことを特徴とすることができる。
【００１９】
このような構成によれば、上記に加え、さらに、飲み口が格納位置にあるときの外観を整える片開き蓋とそのロック機構による閉じ位置へのロックとを利用して、閉じ動作により飲み口をその突出習性に抗して格納位置とし、閉じ位置へのロックによってその格納位置への保持ができる。また、片開き蓋は閉じ位置で飲み口の上端開口をシール部材を介し閉じるので、飲み口内もボトル体の口部と内栓部との間の空間と共に空気断熱部となり、ボトル体の保温性を高めるし、飲み口内に飲料が万一残っても外部に漏れ出ることはない。
【００２０】
本発明のそれ以上の特徴は、以下の具体的な説明および図面によって明らかになる。また、本発明の各特徴はそれ自体単独で、あるいは複合して種々な組み合わせで採用することができる。
【発明の効果】
【００２１】
本発明の直飲みボトルによれば、栓体がボトル体内の飲料を飲み口に漏れなく、導いて直飲みできるようにするのに、飲み口自体の内栓部内に入り込みかさ低くはる格納位置への移動で、下端の弁部で内栓部の下端開口を閉じて飲料の流出を阻止するのに併せ、保冷時の結露領域を飲み口の弁部外面とその近傍および内栓部の下部外面近傍、程度の小範囲に規制して結露水の外部への影響を防止することができる。また、飲み口自体の直飲みしやすく突出する飲み位置への移動で、内栓部の下端部開口を開いて飲料の流出による直飲みができるようにするのに併せ、飲料の流出通路の一部として結露領域を開放し直飲みと分解や再組み立ての必要のない通常の飲料通路としてのお手入れとに供することができる。しかも、内栓部と可動な飲み口との単純な組み合わせの栓構造にて実現し構造が簡単でかさ張らず、軽量かつ低コストなものとなる。
【００２２】
上記に加え、さらに、格納位置での飲み口と内栓部との間を空間として、ボトル体内と栓体天板上とを空気断熱し、栓体天板上に結露が及ぶのを確実に防止することができる。
【００２３】
上記に加え、さらに、飲み口が弾性部材により与えられている付勢力により、格納位置への保持を解除されるだけで自動的に飲み位置に突出させられる。
【００２４】
上記に加え、さらに、飲み口が内栓部に外周を支持された１つの弾性膜部材による簡単な支持構造にて突出習性を与えるように支持され、かつ、弾性膜部材によって内栓部と飲み口との間の空間の空気の対流域を内外に二分して、内外の空気断熱効果を高められる。しかも、弾性膜部材は内栓部と飲み口との間をシールするので双方間を通じた飲料の漏れ出しを防止することができ、栓体の天板部の飲み口が出没する出没孔と飲み口との間のシールパッキンを省略することができる。
【００２５】
上記に加え、さらに、迂回通路は飲み口の上端から弁部にまでストレートに延びる流出路からの、弁部に対する迂回によって、弁部の邪魔なしにボトル体内に通じるようにすることができ、ボトル体内の飲料を飲み口に導くための迂回の向きが直飲み時のボトル体の前傾側となり、外気をボトル体内に導入するための迂回の向きが直飲み時のボトル体の前傾側と逆向きとなることに対応してそれぞれ個別に設けることで、飲料の直飲みとそれに伴う外気導入とを互いの邪魔なくスムーズに達成することができる。
【００２６】
上記において、さらに、栓体の天板部片側へのヒンジ連結部を中心に栓体の天板部に被さる閉じ位置と、この閉じ位置から退避する片開き蓋と、この片開き蓋を閉じ位置にロックし、またそのロックを解除するロック機構とを備え、片開き蓋は、閉じ位置にて飲み口を格納位置に保持し、かつ飲み口の上端開口をシール部材を介し閉じるようにしたことを特徴とすることができる。
【００２７】
上記に加え、さらに、飲み口が格納位置にあるときの外観を整える片開き蓋とそのロック機構による閉じ位置へのロックとを利用して、閉じ動作により飲み口をその突出習性に抗して格納位置とし、閉じ位置へのロックによってその格納位置への保持ができる。また、片開き蓋は閉じ位置で飲み口の上端開口をシール部材を介し閉じるので、飲み口内もボトル体の口部と内栓部との間の空間と共に空気断熱部となり、ボトル体の保温性を高めるし、飲み口内に飲料が万一残っても外部に漏れ出ることはない。
【発明を実施するための最良の形態】
【００２８】
以下、本発明の直飲みボトルにつき図１、図２に示す実施の形態に基づき詳細に説明する。
【００２９】
本実施の形態の直飲みボトルは図１に示すように、ステンレス製の内壁及び外壁の間に真空断熱空間２を有する真空二重容器からなるボトル体１と、このボトル体１の口部１ａの外壁に形成された雄ねじ３に螺合する雌ねじを有し、ボトル体１に装着された合成樹脂製の栓体５とによりボトル本体２０をなしている。このボトル本体２０にはその上端部の片側、具体的には栓体５の天板部５ａの背面側に、回動軸６によるヒンジ連結部１０を中心にボトル本体２０の上端部に図１（ａ）に示すように被さって栓体５に有する直飲み用の飲み口１４を閉じ、また図１（ｂ）に示すように開く開閉動作をする合成樹脂製の片開き蓋７が設けられている。しかし、ボトル本体２０は断熱性の有無、金属製、非金属製、片開き蓋７の有無、材質などは自由に設計でき、具体的な構造は特に問わない。また、片開き蓋７とボトル本体２０との間には片開き蓋７を閉じ状態にロックし、またそのロックを解除するロック機構８が設けられている。
【００３０】
図示例の上記ボトル体１は、片手持ちできる程度にスリム化した胴部１ｂを有し、この胴部１ｂの上部は、口部１ａに装着された栓体５とほぼ同径に形成されている。ボトル体１の胴部１ｂや栓体５部を片手持ちして、片手持ちしている手の指によるロック機構８の操作や、これに伴う片開き蓋７の開き操作や、片開き蓋７の開放後に飲み口１４による直飲み動作を行い易い形状になっている。図示例の片開き蓋７は回動軸６まわりに装着した蔓巻きばね１３１により開き方向に付勢してある。従って、片開き蓋７のロック機構８による閉じ位置へのロックは蔓巻きばね１３１の付勢に抗して行われ、このロックが解除されると片開き蓋７は蔓巻きばね１３１の付勢により自動的に開かれる。このような開き方向への付勢はボトル本体２０の飲み口１４まわりに設けた弾性体や、片開き蓋７に設けた飲み口１４をシールする弾性を有したシールパッキン１６によって代替することもできる。
【００３１】
栓体５は、ボトル体１の口部１ａの前記雄ねじ３に螺合して口部１ａを覆うほぼ円筒形の外栓部５１と、栓体５の天板部５aから口部１ａの内側に入り込み下端部開口５２ａの外まわりで口部1a内壁との間をシールパッキン９によりシールされて下端部開口５２ａがボトル体１内に通じる内栓部５２とを有し、飲み口１４は、図１（ｂ）に示す栓体５の天板部５ａ上に突出した飲み位置と、図１（ａ）に示す天板部５ａからの突出度を小さくするか栓体５に収容する格納位置とに選択的に保持されるようにするのに、図１（ａ）に示す格納位置で内栓部５２の下端部開口５２ａをシールパッキン１４１を介し閉じ、図１（ｂ）に示す飲み位置にて内栓部５２の下端部開口５２ａを開く弁部１４２を直接持ち、かつ、飲み位置にて弁部１４２を避けてボトル体１内に通じる迂回通路１４３を有したものとしている。ここで、飲み口１４の飲み位置、格納位置への保持はどのような方式によっても行える。
【００３２】
これにより、栓体５は直飲みできる飲み口１４を有して、その内栓部５２がボトル体１の口部１a内に入り込みその下端部開口５２ａの外まわりで口部１a内壁との間をシールパッキン９によりシールされて下端部開口５２ａがボトル体１内に通じ、ボトル体１内の飲料を飲み口１４に漏れなく、導いて直飲みできるようにすることができる。特に、飲み口１４が栓５体の天板部５ａ上に突出して直飲みしやすい図１（ｂ）の飲み位置と、突出度の低減または栓体５に収納されてかさ低くなる図１（ａ）の格納位置との２つの態様が採れるのを利用して、格納位置の飲み口１４は、図１（ａ）に示すように内栓部５２内に入り込んでその下端に直接保持している弁部１４２が内栓部５２の下端部開口５２aを閉じるので、ボトル体１内と内栓部５２内の空間とを一重壁が画して外面に結露する領域を、飲み口１４の弁部１４２外面とその近傍、および内栓部５２の下部外面近傍、の程度に規制し、それを超えた範囲への結露を防止することができる。また、飲み位置の飲み口１４は、図１（ｂ）に示すように内栓部５２から栓体５の天板部５ａ上に突出して、下端の弁部１４２が内栓部５２の下端部開口５２ａから上方へ離れて下端部開口５２ａを開くのに伴い、内栓部５２の下端部開口５２ａから飲み口１４に至る飲料の流出通路の一部として前記結露領域を開放し、直飲みと、飲料通路としてのお手入れとに供することができ、結露水が外部に漏れ出るほど蓄積することがなくなる。
【００３３】
この結果、栓体５がボトル体１内の飲料を飲み口１４に漏れなく、導いて直飲みできるようにするのに、飲み口１４自体の内栓部５２内に入り込みかさ低くなる格納位置への移動で、下端の弁部１４２で内栓部５２の下端部開口５２ａを閉じて飲料の流出を阻止するのに併せ、保冷時の結露領域を飲み口１４の弁部１４２外面とその近傍および内栓部５２の下部外面近傍、程度の小範囲に規制して結露水の外部への影響を防止することができる。また、飲み口１４自体の直飲みしやすく突出する飲み位置への移動で、内栓部５２の下端部開口５２ａを開いて飲料の流出による直飲みができるようにするのに併せ、飲料の流出通路の一部として結露領域を開放し直飲みと分解や再組み立ての必要のない通常の飲料通路としてのお手入れとに供し、結露水を蓄積させないものとなる。しかも、内栓部５２と可動な飲み口１４との単純な組み合わせの栓構造にて実現し構造が簡単でかさ張らず、軽量かつ低コストなものとなる。
【００３４】
なお、栓体５の外栓部５１は金属製の真空二重構造であるボトル体１の口部１ａ外まわりを外装し、また着脱操作するのに好適であり、内栓部５２は飲み口１４を利用した飲料の直飲みと、飲み口１４格納時の口部１ａの閉止に好適である。内栓部５２は下端部開口５２ａの外まわりに形成した溝５２ｂにシールパッキン９を装着し、口部１ａの内周基部に形成した上向き段部１ｂ１に上方から圧着させて相互間をシールし、口部１ａと内栓部５２との間の隙間を通じて熱や飲料が漏れ出すのを防止している。また、下端部開口５２ａは上向きの弁口に形成され、格納位置とされた飲み口１４の弁部１４２のシールパッキン１４１が上方から確実に圧着して閉じ、下端部開口５２ａにおいて隙間を通じて熱や飲料が漏れ出すのを防止している。シールパッキン１４１によるシール性を高めるために、弁口型の下端部開口５２ａとの圧着部をシールリップ１４１ａとして、圧着間の寸法誤差や成形誤差、組み立て誤差を吸収しやすくしている。しかも、飲み口１４は直線方向に出没するので出没構造が簡素になるうえ、ボトル体１の軸線上で出没するので、栓体５および飲み口１４がボトル体１と同心でどの部分も同心円となるので、成形型の制作が容易になりこの面でも低コスト化が図れる。
【００３５】
また、飲み口１４は図１（ａ）に示すように、格納位置にて内栓部５２との間に空間５３を形成することができ、これにより、さらに、格納位置での飲み口１４と内栓部５２との間の空間５３は、ボトル体１内と栓体５の天板部５ａ上とを空気断熱するので、栓体５の天板部５ａ上に結露が及ぶのを確実に防止することができる。迂回通路１４３は、飲み口１４の上端から弁部にまでストレートに延びる流出路からの、弁部に対する迂回によって、弁部の邪魔なしにボトル体１内に通じるようにすることができ、ボトル体１内の飲料を飲み口１４に導くための迂回の向きが直飲み時のボトル体１の前傾側となり、外気をボトル体１内に導入するための迂回の向きが直飲み時のボトル体１の前傾側と逆向きとなることに対応して、それぞれ前傾側迂回路１４３ａ、反前傾側迂回路１４３ｂとして個別に設けることで、飲料の直飲みとそれに伴う外気導入とを互いの邪魔なくスムーズに達成することができる。
【００３６】
さらに、飲み口１４は、内栓部５２との間に働く弾性部材５４の付勢力によって飲み位置に弾性的に保持されるようにしている。これにより、飲み口１４は図１（ａ）に示す格納位置への保持が解除されるだけで、弾性部材５４の付勢力によって自動的に図１（ｂ）に示す飲み位置に突出させられる。しかも、飲み口１４は、片開き蓋７が閉じられることによって図１（ｂ）に示す飲み位置から図１（ａ）に示す格納位置に弾性部材５４の付勢力に抗して押し込まれ、かつ片開き蓋７が閉じ位置に自動ロックされることによって飲み口１４は格納位置に自動的に保持される。従って、飲み口１４は片開き蓋７の閉じ位置へのロックの解除による片開き蓋７の自動開放と同時に飲み位置とされるので、即時に直飲みができる。また、片開き蓋７が閉じられるのと同時に飲み口１４は自動的に格納位置とされ、片開き蓋７の閉じ位置への自動ロックによって格納位置およびそれによる口部１aの密閉状態が確固に保たれるので、特許文献３、４に開示された固定型の飲み口を持った片開きボトルと使用勝手や使用手間が特に変わらない利点がある。また、片開き蓋７は閉じ位置で飲み口１４の上端開口１４ａをシールパッキン１６を介し閉じるので、飲み口１４内も空間５３と共に空気断熱部となり、ボトル体１の保温性を高めるし、飲み口１４内に飲料が万一残っても外部に漏れ出ることはない。
【００３７】
シールパッキン１４１は、飲み口１４の底部壁をなす弁部１４２の外周に装着してあるが、内栓部５２の下端部開口５２aに装着することもでき、飲み口１４の直飲み後の水切れに有利な形態としやすい。この水きりのためには、飲み口１４の弁部１４２の上面を図１（ｂ）に示すように傾斜させるのが有効であり、直飲み後即時に飲み口１４を格納しても残水が生じにくくなる利点がある。シールパッキン１６は片開き蓋７の裏面に一体形成した筒部７eに弾性的に嵌め合わせて装着し、あるいはこれに接着や超音波溶着などにより固着してある。シールパッキン１６もシール機能上は飲み口１４の上端開口１４aの側に設けてもよいが、直飲みの邪魔になるきらいがある。
【００３８】
弾性部材５４は各種形態のスプリングでもよいが、図示例では外周を内栓部５２に支持され、内周部で飲み口部１４を支持した弾性膜部材としてある。これにより、飲み口１４を内栓部５２に外周を支持された弾性部材５４としての１つの弾性膜部材による簡単な支持構造にて突出習性を与えるように支持し、かつ、弾性膜部材によって内栓部５２と飲み口１４との間の空間５３の空気の対流域を内外方向に二分して、内外の空気断熱効果を高められる。しかも、弾性膜部材は内栓部５２と飲み口１４との間をシールするので双方間を通じた飲料の漏れ出しを防止することができ、栓体５の天板部５aの飲み口１４が出没する出没孔５ｂと飲み口１４との間のシールパッキンを省略するこができる。
【００３９】
弾性部材５４を支持するのに、栓体５は、外栓部５１と内栓部５２とを図１（ｃ）に示すように別体に形成し、外栓部５１の内周上端に形成した雌ねじ５５に内栓部５２の外周上端に形成した雄ねじを螺合して双方を一体化し、内栓部５２の上端と外栓部５１に一体成形した栓体５の天板部５ａとの間に弾性部材５４である弾性膜部材の外周を図１（ａ）（ｂ）に示すように挟みつけて保持し、内周を飲み口１４の外周に形成した溝１４ｂに弾性的に嵌め合わせて支持している。弾性部材５４である弾性膜部材は、飲み口１４に突出習性を与えるために、図１（ｂ）（ｃ）に示す外周側から内周側に斜め上となる形態を常態とし、飲み口１４が格納位置とされると、図１（ａ）に示すように下向き傾斜となるように弾性変形し、上向き傾斜への復元力を蓄勢する。このような傾斜の反転は膜状の弾性部材５４の飲み口１４の出没ストロークに応動するための必要伸縮量を抑えるのに好適であり、膜状の弾性部材５４の寿命を高められる。膜状の弾性部材５４はシリコンゴムが好適である。弾性部材５４の上向き傾斜の形態に合わせて栓体５の天板部５ａに傾斜部５ｃを設けてデッドスペースが生じないようにしてあり、これによってもかさ張りを抑えている。
【００４０】
ここで、ロック機構８は図１（ａ）〜（ｃ）、図２（ａ）〜（ｃ）に示してあり、ボトル本体２０側に設けられたロック機構固定部である係合部３１と、片開き蓋に外面同士が面一となるのを常態として設けられて片開き蓋７が閉じられたとき前記係合部３１に一時的な係合部３１からの退避動作を伴い係合してロックし、また、外面からの一時的な退避操作によりロックを解除するロック機構可動部であるロック部材３２とで構成している。これにより、ボトル本体２０の上端部片側へのヒンジ連結部１０を中心に、直飲み用の飲み口１４をボトル本体２０の上端部と共に覆って閉じ内容液の流出を防止し、また、ボトル本体２０の上端および飲み口１４を開放するようにヒンジ連結部１０側に片開きして飲み口１４から直飲みできるようにする片開き蓋７に対し、ロック部材３２はボトル本体２０との間で片開き蓋７が閉じられたときロック部材３２をボトル本体２０側の係合部３１に一時退避動作を伴い係合させて閉じ状態にロックし、また、ロック部材３２に外面からの一時的な退避操作を受けて前記ロックを解除するが、このロック、ロック解除のための可動部であるロック部材３２が、片開き蓋７の側に設けられて、ボトル本体２０の側のロック機構８における固定部としての係合部３１に係脱して、片開き蓋７を閉じ状態にロックし、またロックを解除することができ、片開き蓋７と飲み口１４との間に得た十分な奥行きおよび縦方向範囲のデッドスペースＳを得て、片開き蓋７と外面同士が面一になるように、また十分な縦方向寸法を持って設けられる。
【００４１】
この結果、直飲み用の飲み口１４をボトル本体２０の上端部と共に覆って閉じ、また、それらを開放するように片開きする片開き蓋７を閉じ状態にロックし、また、ロックを解除するロック機構８において、その可動部であるロック部材３２を片開き蓋７の側に設けて、ボトル本体２０の側の係合部３１との係脱により片開き蓋７の閉じ状態へのロック、ロック解除ができ、片開き蓋７と飲み口１４との間に得た十分な奥行きおよび縦方向範囲のデッドスペースＳを利用して、片開き蓋７と外面同士が面一になり洗浄や拭き取りの作業の邪魔にならず、かつ、かさ張らず単純かつすっきりした外観が得られるし、他との引っかかりや当りによる外力を受けにくくするのに併せ、十分な縦方向寸法を有して操作しやすいものとすることができる。
【００４２】
また、ロック部材３２は、前記係合部３１と係脱する係脱部材３２１と、この係脱部材３２１を片開き蓋７と外面同士が面一であることを常態として覆い外面からの押圧操作で係脱部材３２１を退避動作させるロック解除操作部材３２２とで構成している。
【００４３】
このように、ロック部材３２が、ボトル本体２０側の係合部３１と係脱する係脱部材３２１を有することで、閉じられた片開き蓋７を係合部３１からの一時的な退避動作を伴い係合して閉じ状態にロックすることができ、係脱部材３２１を片開き蓋７と外面同士が面一であることを常態として覆うロック解除操作部材３２２を有することで、ロック解除操作部材３２２とその動きだけが外観されるようにすることができる。従って、片開き蓋７と外面同士が面一であることを常態とするロック解除操作部材３２２のロック解除操作や復帰の動きだけを外観させて操作の単純さをユーザに直感させ使用しやすくすることができるし、係脱部材３２１を外力や異物の噛み込み、塵埃の付着などから保護できる。
【００４４】
また、片開き蓋７には安全ストッパ３３が設けられ、ロック解除操作部材３２２のロック解除操作を阻止する図２に示す操作阻止位置と、その阻止を解除する図８に示す操作阻止解除位置とに移動できるようにしている。これにより、安全ストッパ３３が片開き蓋７上で操作阻止位置と操作阻止解除位置のどちらに移動させるかで、ロック解除操作部材３２２によるロック解除操作を阻止して不用意な操作が行われなくしたり、ロック解除操作して片開き蓋７の閉じ位置へのロックを解除できるようにしたりすることができる。
【００４５】
従って、安全ストッパ３３の片開き蓋７上での２つの位置間の選択的な移動操作だけで、ロック解除操作部材３２２によるロック解除操作を阻止して不用意な操作に対する安全を図りながら、必要に応じロック解除操作することができる。
【００４６】
また、ボトル本体２０の側に形成した栓体５の傾斜部５ｃが、ロック部材３２ないしはその係脱部材３２１の退避動作完了後の延長動作で当接し合って片開き蓋７の開き方向側に誘導する案内機能を発揮するようにしてある。これにより、ロック部材３２ないしは係脱部材３２１がロック解除操作による一時退避動作で係合部３１から外れて以降の延長動作ができ、これによってロック部材３２ないしは係脱部材３２１はボトル本体２０側の傾斜部５ｃに当接して片開き蓋７を伴いそれが開く方向側に誘導されて、片開き蓋７を少なくともロック部材３２ないしは係脱部材３２１によるロック位置から退避させるので、ロック部材３２ないしは係脱部材３２１のロック解除操作からの解放時期が早すぎて再度ロックしてしまうようなことを回避することができる。従って、ロック部材３２ないしは係脱部材３２１がロック解除操作により係合部３１から外れて以降の延長動作でのボトル本体２０側の傾斜部５ｃとの当接による誘導で、片開き蓋７を少なくともロック位置から退避させ、ロック部材３２ないしは係脱部材３２１のロック解除操作の解放時期が早すぎ片開き蓋７を再度ロックしてしまい、再度のロック解除操作が必要となる不便をなくすことができる。
【００４７】
さらに、係脱部材３２１およびロック解除操作部材３２２は、片開き蓋７に径方向に進退できるように支持され、係脱部材３２１を図１、図２（ｃ）に示すようにばね３５により外径側に付勢して係脱部材３２１がボトル本体２０側の図１に示す内径側に向く係合部３１との係合位置に常時位置し、かつロック解除操作部材３２２を係脱部材３２１により常態位置に保持するようにしている。これにより、係脱部材３２１およびロック解除操作部材３２２は共に片開き蓋７に対し径方向に進退するように単純に支持されて、しかも、ロック解除操作部材３２２による係脱部材３２１に対するばね３５に抗し退避操作し、係脱部材３２１がばね３５の付勢で復動するのにロック解除操作部材３２２を常態位置に復動させる、互いの動作伝達が摺動成分なしに行われる。従って、係脱部材３２１およびロック解除操作部材３２２は共に進退するだけの支持構造が簡単で安価なものとなる上、互いの必要な動作伝達が摺動成分や拗れなしにスムーズに行え、耐久性も向上する。
【００４８】
片開き蓋７は、天板７ａ上の前後方向のほぼ中央部から前部側周壁７ｃに至る図１、図２に示すような鉤型のポケット４１を設け、このポケット４１にロック機構８を収容している。具体的には、ポケット４１の天面前部の前方に開放した凹部４２を形成して図１、図２に示すようなΓ型の係脱部材３２１の上辺３２１ａを前後摺動できるように受け入れ、ばね３５により前部側に付勢している。この付勢によって係脱部材３２１の下端にある前部に向いたフック３２１ｂがボトル本体２０の外栓部５１の前部上端に後部に向いて一体形成した図１に示すようなフック形の係合部３１に係合する位置を保たせるようにしている。この係脱部材３２１を嵌め入れた図２（ｃ）に示す状態のポケット４１に、図１、図２に示すような鉤型のロック解除操作部材３２２を上方から嵌め入れて、上辺３２２ａの下面の前後方向の中央部両側に下向きに一体形成した一対のフック片３２２ｂを、ポケット４１の天面部両側壁面に内向きに一体形成した係合部４１ａを弾性係合させることにより、上方への抜け止め状態で前後にスライドできるように取り付け、同時に、ロック解除操作部材３２２によって係脱部材３２１をポケット４１内に前後摺動できるように保持するようにしている。ロック解除操作部材３２２の上辺３２２ａにおける下面の前記フック片３２２ｂの前部側に前記係合部４１ａの前端と対抗するストッパ３２２ｃを一体形成してあり、ロック解除操作部材３２２によって係脱部材３２１をばね３５に抗して後退させ、係合部３１との係合を外して片開き蓋７のロックを解除して、さらに、係脱部材３２１のフック３２１ｂを前記傾斜部５ｃに乗り上げさせて、片開き蓋７の初期開きを達成する時点で、ストッパ３２２ｃが係合部４１ａに当接し、それ以上の操作を防止するようにしている。また、ロック解除操作部材３２２はその上辺３２２ａの前部から垂下する押し込み操作片３２２ｄの下端が図１に示すように片開き蓋７の天板７ａ、側壁７ｃに形成した鉤型のポケット４１の底部から立ち上がる立ち上がり壁４１ｃに内側から当接することで、復帰位置が規制され、またポケット４１から前方へ抜け出るのを防止されている。またボトル本体２０側の係合部３１は外栓部５１の上端から図１に示すように突出して形成され、片開き蓋７の側壁７ｃにはこれに対する逃げとなる図１、図２（ｂ）（ｃ）に示すような切り欠き７ｄを設けてあり、この切り欠き７ｄに係脱部材３２１のフック３２１ｂが図２（ｂ）に示すように内側から臨んでいる。
【００４９】
したがって、ロック解除操作部材３２２の過剰な操作を阻止してそれ自体や他の部材などの損傷を防止して、しかも、片開き蓋７はロック解除操作の最終段階での初期開きにより係脱部材３２１によるロック位置から上方へ退避しているので、ロック解除操作部材３２２や片開き蓋７が解放されて係脱部材３２１がばね３５の付勢によってロック解除操作部材３２２を伴い係合位置に復帰したとき、片開き蓋７を再度ロックすることはなく、片開き蓋７はばね１３１の付勢によって自動的に確実に開かれる。片開き蓋７が開き位置から閉じられると、係脱部材３２１はボトル本体２０側の係合部３１との係合位置に復帰しているが、ロック解除操作部材３２２の内側で単独にスライドできるので、片開き蓋７の閉じの最終段階でフック３２１ｂが係合部３１に上方から当接していくときに、それら一方または双方の斜面や曲面での滑りによって係脱部材３２１がばね３５に抗し一時的に後方へ単独で退避させられながら係合部３１との係合位置に達する。フック３２１ｂが係合部３１との係合位置に達したとき、係脱部材３２１はばね３５の付勢により係合位置に単独で復帰しフック３２１ｂが係合部３１に図１に示すように係合するので、片開き蓋７を自動的に閉じ状態にロックする。なお、片開き蓋７を閉じるのに、自由端部の上面および前面に掛けて位置するロック解除操作部材３２２を押圧する形で閉じ操作すればよく、このように閉じ操作はロック解除操作部材３２２に対する押圧力を働かせるだけであるので、前後にスライドするロック解除操作部材３２２を不用意に移動させることはないし、ロック解除操作部材３２２はポケット４１の底部に受けられて破損するようなことはない。
【００５０】
しかも、図２に示すようにロック解除操作部材３２２は広く大きなものとして設けられるので、操作性が向上し動きが安定しがたつかない利点がある。また、その内側の係脱部材３２１も外部に露出させないで大きくすることができ、係合音を伴うロック感やロックの確実性が増す。また、片開き蓋７上の主要部材であるロック解除操作部材３２２は係脱部材３２１、安全ストッパ３３と共に飲み口１４とほぼ対応する位置にあって、しかも、ほぼ飲み口１４に対応する鉤型面範囲内に収まって設けられる。
【００５１】
前記安全ストッパ３３は樹脂製の一体成形品で、図１、図２（ａ）（ｂ）に示すような左右方向に長い操作頭部３３ａを有し、ロック解除操作部材３２２の上辺３２２ａに形成した凹部６１内を左右にスライドできるように収容される。安全ストッパ３３は凹部６１の底部に設けた図１、図２に示すような左右のスライド窓６１ａに操作頭部３３ａの下面の左右方向中央部の両側に一体成形した図１、図２（ｃ）に示すようなフック片３３ｂを上方から弾性係合させて抜け止めし、左右にスライドできるように支持される。操作頭部３３ａの下面にはさらに、図２（ｃ）に示すようなストッパ３３ｃが一体成形されている。安全ストッパ３３のロック解除操作を阻止する図２（ａ）に示す阻止位置では、ストッパ３３ｃがポケット４１の天面部の後部に一体成形された受け止め突起４１ｂと対向して、ロック解除部材３２２が後退操作されると、従って、ロック解除操作されると、それらストッパ３３ｃと受け止め突起４１ｂとが突っ張って、後退操作、従ってロック解除操作を阻止する。また、安全ストッパ３３の図２（ｂ）に示す阻止解除位置では、ストッパ３３ｃが受け止め突起４１ｂとの対向位置から外れ、ロック解除操作部材３２２が後退させられても、従って、ロック解除操作されても、ストッパ３３ｃは受け止め突起４１ｂに当接せず、後退操作、従ってロック解除操作を阻止しない。なお、図示しないがフック片３３ｂの一方とこれが摺動するスライド窓６１ａの縁との間でクリック係合する係合部を前記阻止位置と阻止解除位置とに対応する２箇所に設け、安全ストッパ３３をいずれかの位置に選択的に安定させられるようにする。なお、安全ストッパ３３は横スライド方式の動作部材としたが、押し込み方向での動作部材とすることもできる。
【産業上の利用可能性】
【００５２】
本発明は直飲みボトルに実用して、保冷時の結露面が外部に露出せず、かつ、結露水のお手入れが不要になり、構造が簡単かつ軽量で低コストなものとする。
【図面の簡単な説明】
【００５３】
【図１】本発明の実施形態の直飲みボトルを示す、閉じ状態の全体断面図、開き状態の要部断面図、栓体の分解断面図である。
【図２】同直飲みボトルの栓体を示す、一部を除いた平面図、全体の斜視図、ロック機構を分解して見た全体の斜視図である。
【図３】特許文献３に記載の直飲みボトルを示す要部の断面図である。
【符号の説明】
【００５４】
１  真空二重容器
１ａ  口部
５  栓体
５ａ  天板部
５ｂ  出没孔
５１  外栓部
５２  内栓部
５２ａ  下端部開口
５３  空間
５４  弾性部材
７  片開き蓋
８  ロック機構
９、１６、１４１  シールパッキン
１０  ヒンジ連結部
１４  飲み口
２０  ボトル本体
１４２  弁部
１４３  迂回通路
【図１】
2008260538.tif 000003
【図２】
2008260538.tif 000004
【図３】
2008260538.tif 000005